(57)【要約】  第１配管（１１）と第２配管（１２）を接続するために用いられる配管接続用治具（１４）であって、導電性を有し、少なくとも両端部が塑性変形可能となっている筒状体の内部に、該筒状体の軸方向に、一端が前記第１配管（１１）の外径に対応し他端が前記第２配管（１２、１３）の外径に対応する内径を有する貫通孔（１４a、１４b）が設けられており、更に、前記筒状体の内部に、該貫通孔の周壁から内側に突出する隙間形成用突出部（１４c）が設けられていることを特徴とする配管接続用治具（１４）。
2019053849.tif 000002
【特許請求の範囲】
【請求項１】
第１配管と第２配管を接続するために用いられる配管接続用治具であって、  導電性を有し、少なくとも両端部が塑性変形可能となっている筒状体の内部に、該筒状体の軸方向に、一端が前記第１配管の外径に対応し他端が前記第２配管の外径に対応する内径を有する貫通孔が設けられており、更に、前記筒状体の内部に、該貫通孔の周壁から内側に突出する隙間形成用突出部が設けられている  ことを特徴とする配管接続用治具。
【請求項２】
前記隙間形成用突出部はリング状に形成されている  ことを特徴とする請求項１に記載の配管接続用治具。
【請求項３】
前記配管用治具が両端に向かって先細りの形状を有する  ことを特徴とする請求項１に記載の配管接続用治具。
【請求項４】
さらに、  前記貫通孔の内径よりも細径の配管に取り付けられる配管径調整治具  を有することを特徴とする請求項１に記載の配管接続用治具。
【請求項５】
請求項１に記載の配管接続用治具と、  前記配管接続用治具により接続される、絶縁物からなる2つの配管と、  前記配管接続用治具に電圧を印加する電圧印加部と、  を備えることを特徴とするESIスプレイヤー。
【請求項６】
前記2つの配管のうちの少なくとも一方がヒューズドシリカからなるものである  ことを特徴とする請求項５に記載のESIスプレイヤー。
【発明の詳細な説明】
【技術分野】
【０００１】  本発明は、絶縁物からなる2つの配管を接続する配管接続用治具に関し、特に液体試料を帯電させて噴霧するESIスプレイヤーにおいて好適に用いることができる配管接続用治具に関する。
【背景技術】
【０００２】  液体試料に含まれる成分を分析する装置として、液体クロマトグラフが広く用いられている。液体クロマトグラフでは、移動相の流れに乗せて液体試料をカラムに導入し、該液体試料に含まれる各種成分を時間的に分離した後、検出器で測定する。検出器として質量分析計を有する液体クロマトグラフは、液体クロマトグラフ質量分析装置と呼ばれる。液体クロマトグラフ質量分析装置では、液体クロマトグラフのカラムから順次溶出される各種成分を質量分析計のイオン源に導入してイオン化し、生成されたイオンを質量電荷比ごとに測定する。【０００３】  液体クロマトグラフ質量分析装置で用いられるイオン化法の1つに、液体クロマトグラフのカラムからの溶出液を帯電させてイオン化室の内部に噴霧することにより各種成分をイオン化するエレクトロスプレーイオン化（ESI）法がある。ESI法では、高電圧を印加したESIスプレイヤーに溶出液を導入して該溶出液を帯電させ、ESIスプレイヤーの先端部において帯電した溶出液にネブライザガスを吹き付けてイオン化室の内部に噴霧しイオン化する。【０００４】  液体クロマトグラフ質量分析装置において、試料に含まれる微量の成分を高感度で測定するために、最近ではナノESIやマイクロESIと呼ばれるものが広く用いられている。これらは、細径のカラムを使用するとともに移動相の流量をnL/minレベルからμL/minレベルに抑えることにより、ESIスプレイヤーに導入される溶出液の単位時間当たりの量を抑えることで、帯電効率を高めたり脱溶媒させやすくしたりしてイオン化効率を高めたものである。【０００５】  ナノESIやマイクロESIでは、外径が数百μm、内径が数十μmという細径の配管が用いられる。こうした配管には、微細加工が容易であることや物質の吸着性が低いという特性を有する素材、例えばヒューズドシリカ（溶融石英）が用いられている。【０００６】  ヒューズドシリカは絶縁物であるため、ヒューズドシリカからなる配管の外部から該配管の中を流れる溶出液を帯電させることはできない。そこで、従来、導電性材料からなる接続部材の内部に、2つに分割したESIスプレイヤーの配管を、両端を離間させて挿入し、該接続部材に高電圧を印加することにより、両配管の離間部分で溶出液を帯電させている。【０００７】  図１に、特許文献１に記載のESIスプレイヤーの配管接続用治具３００の構成を示す。この配管接続用治具３００はESIスプレイヤーの入口側配管３０１と出口側配管３０２を接続するものであり、接続／固定部材３０３とホルダ３０４からなる。接続／固定部材３０３は、弾性及び導電性を有する材料（導電性ポリマー等）からなる筒状部材であり、入口側配管３０１及び出口側配管３０２の外径に対応する大きさの内径を有する。ホルダ３０４は、ホルダ本体３０４aとホルダカバー３０４bで構成される角柱状部材であり、内部に前記接続／固定部材３０３を収容する角柱状の孔（角柱孔）が設けられている。【０００８】  配管接続用治具３００の使用時には、まず、接続／固定部材３０３の一端から入口側配管３０１を差し込む。続いて他端から出口側配管３０２を、その端面と入口側配管３０１の端面との間に隙間（接続ギャップ）を残すように差し込む。そして、入口側配管３０１及び出口側配管３０２を差し込��だ接続／固定部材３０３を、ホルダ本体３０４aの角柱孔に収容する。試料の測定時には、接続／固定部材３０３に高電圧を印加しつつ、カラムからの溶出液を入口側配管３０１から導入し、接続／固定部材３０３の内部に形成された前記接続ギャップで溶出液を帯電させる。【０００９】  特許文献１に記載の配管接続用治具３００では、入口側配管３０１と出口側配管３０２を接続した時に両配管の端面の間に形成される接続ギャップの長さが、両配管の差し込み度合いにより変化する。上記の通り、カラムからの溶出液はこの接続ギャップで帯電するため、その長さにばらつきがあると溶出液の帯電効率にばらつきが生じ、その結果、イオン生成効率がばらついて安定した分析結果が得られないという問題があった。【００１０】  非特許文献１には、入口側配管と出口側配管の間に形成される接続ギャップの長さを一定にすることができる配管接続用のユニオン４００が記載されている（図２参照）。このユニオン４００は、円筒状の本体の内部に、その両端から中央に向かって所定の長さまでは円柱状、それより中央側では中央に近づくにつれ径が小さくなるテーパ状の空孔が設けられている。両テーパ状空孔の中央側先端に挟まれた部分には外周から内部に突出するリング状の突出部４０２が設けられている。両端の円柱状空孔の内周面には内周ねじ（雌ねじ）４０１が形成されている。【００１１】  このユニオン４００を用いて入口側配管４２１と出口側配管４２２を接続する際には、入口側配管４２１と出口側配管４２２にそれぞれ、前記円柱状空孔及びテーパ状空孔に対応する外形を有するフィッティング部材４１０を取り付け、フィッティング部材４１０の円柱状部分の外周に設けられた外周ねじ４１１をユニオン４００の内周ねじ４０１に螺合し、該フィッティング部材４１０の先端を突出部４０２に押し当てる。このユニオン４００では、入口側配管４２１と出口側配管４２２の間に形成される、前記突出部４０２の内側の空間が接続ギャップとなるが、その大きさが一定となるため、溶出液を安定した効率で帯電させてイオン化することができる。
【先行技術文献】
【特許文献】
【００１２】
【特許文献１】特開2015-14616号公報
【非特許文献】
【００１３】
【非特許文献１】"コネクター・アダプター・ユニオン",[online],エムエス機器株式会社,[平成29年8月9日検索],インターネット<URL:http://www.technosaurus.co.jp/categories/view/194>
【発明の概要】
【発明が解決しようとする課題】
【００１４】  非特許文献１に記載のユニオンを用いて配管を接続するには、ユニオン４００の内周ねじ（雌ねじ）４０１と螺合させる外周ねじ（雄ねじ）４１１が形成されたフィッティング部材４１０を入口側配管４２１と出口側配管４２２に取り付けなければならない。即ち、非特許文献１に記載のユニオン４００では、フィッティング部材４１０を介して入口側配管４２１と出口側配管４２２を間接的に接続するため、構成部品の点数が多くなり、また両配管の接続箇所の外径が大きくなりESIスプレイヤーが大型化してしまうという問題があった。【００１５】  本発明が解決しようとする課題は、追加の治具を取り付けることなく2つの配管を接続することができ、また該配管の内部を流れる液体に電圧を印加する際に安定した効率で該液体を帯電させることができる配管接続用治具を提供することである。
【課題を解決するための手段】
【００１６】  上記課題を解決するために成された本発明は、第１配管と第２配管を接続するために用いられる配管接続用治具であって、  導電性を有し、少なくとも両端部が塑性変形可能となっている筒状体の内部に、該筒状体の軸方向に、一端が前記第１配管の外径に対応し他端が前記第２配管の外径に対応する内径を有する貫通孔が設けられており、更に、前記筒状体の内部に、該貫通孔の周壁から内側に突出する隙間形成用突出部が設けられている  ことを特徴とする。【００１７】  本発明に係る配管接続用治具を用いて第１配管と第２配管を接続する際には、配管接続用治具の両端からそれぞれ第１配管と第２配管を、その先端が隙間形成用突出部に達するまで差し込む。そして、配管接続用治具の両端部を第１配管及び第２配管に向けて押し当てるように塑性変形させる。これにより、第１配管と第２配管が配管接続用治具に差し込まれた状態で固定され、両配管が接続される。本発明に係る配管接続用治具を用いると、2つの配管に他の治具を取り付けることなく接続することができる。また、両配管の端面の位置が隙間形成用突出部により規定されるため、それらの間に形成される隙間（接続ギャップ）の長さが一定になる。従って、配管接続用治具に高電圧を印加したときに、その隙間（接続ギャップ）を通過する液体を安定した効率で帯電させることができる。【００１８】  前記隙間形成用突出部はリング状に形成されていることが好ましい。  この態様の配管接続用治具では、その内部に第１配管及び第２配管を差し込むと、その端面全体がリング状の隙間形成用突出部に当接する。そのため、隙間形成用突出部に局所的に力が加わり該隙間形成用突出部が変形して両配管端面の間の接続ギャップの長さが変化する可能性が低減される。【００１９】  前記配管接続用治具は、両端に向かって先細りの形状を有する、フェルール状のものであることが好ましい。  この態様の配管接続用治具を用いると、円筒状等の配管接続用治具を用いる場合よりも小さな力で配管接続用治具の両端部を塑性変形させることができる。そのため、配管接続用治具の両端部を塑性変形させる際に第１配管及び第２配管を破損してしまったり、隙間形成用突出部の内部空間を押しつぶしてその内径を小さくしてしまったりする可能性を低減することができる。【００２０】  本発明に係る配管接続用治具は、さらに、  前記貫通孔の内径よりも細径の配管に取り付けられる配管径調整治具  を有するものとすることができる。  これにより、１つの配管接続用治具を外径が異なる配管の接続に用いることができる。また、キャピラリのような極細径の壊れやすい配管を保護することができる。
【発明の効果】
【００２１】  本発明に係る配管接続用治具を用いることにより、追加の治具を取り付けることなく2つの配管を接続することができ、また該配管の内部を流れる液体に電圧を印加する際に安定した効率で該液体を帯電させることができる。
【図面の簡単な説明】
【００２２】
【図１】従来の配管接続用治具の構成を説明する図。
【図２】従来の配管接続用治具の構成を説明する別の図。
【図３】本発明に係る配管接続用治具の一実施例が用いられる液体クロマトグラフ質量分析装置全体の要部構成図。
【図４】本実施例の液体クロマトグラフ質量分析装置のESIスプレイヤーの構成を説明する図。
【図５】本実施例の配管接続用治具の構造を説明する図。
【図６】本実施例の液体クロマトグラフ質量分析装置にESIスプレイヤーを取り付けた状態を説明する図。
【発明を実施するための形態】
【００２３】  本発明に係る配管接続用治具の一実施例について、以下、図面を参照して説明する。本実施例の配管接続用治具は、液体クロマトグラフ質量分析装置において、ESIスプレイヤーの配管を接続するために用いられる。図３に本実施例の液体クロマトグラフ質量分析装置全体の要部構成を示す。
【００２４】  本実施例の液体クロマトグラフ質量分析装置は、大別して、液体クロマトグラフ１００と質量分析計２００から構成され、図示しない制御部により各部の動作が制御される。液体クロマトグラフ１００は、移動相が貯留された移動相容器１１０、移動相を吸引して一定流量で送給するポンプ１１１、移動相中に所定量の液体試料を注入するインジェクタ１１２、液体試料に含まれる各種化合物を時間方向に分離するカラム１１３、及び該カラム１１３を温調するカラムオーブン（図示なし）とを備えている。また、インジェクタ１１２に複数の液体試料を１つずつ導入するオートサンプラ（図示なし）を備えている。
【００２５】  質量分析計２００は、略大気圧であるイオン化室２１０と、真空ポンプ（図示なし）により真空排気された中間真空室２２０及び高真空の分析室２３０を備えた差動排気系の構成を有している。イオン化室２１０には、試料溶液に電荷を付与しながら噴霧するエレクトロスプレイイオン化プローブ（ESIプローブ）２１１が設置されている。イオン化室２１０と後段の中間真空室２２０との間は細径の加熱キャピラリ２１２を通して連通している。中間真空室２２０にはイオンを収束させつつ後段へ輸送するためのイオンガイド２２１が設置されており、中間真空室２２０と分析室２３０との間は頂部に小孔を有するスキマー２２２で隔てられている。分析室２３０には、四重極マスフィルタ２３１とイオン検出器２３２が設置されている。本実施例では質量分析計を簡素な四重極型の構成としたが、他の構成（三連四重極型、イオントラップ−飛行時間型等）の質量分析計を用いてもよい。
【００２６】  質量分析計２００では、SIM（選択イオンモニタリング）測定やMSスキャン測定を行うことができる。SIM測定では、四重極マスフィルタ２３１を通過させるイオンの質量電荷比を固定してイオンを検出する。MSスキャン測定では、四重極マスフィルタ２３１を通過させるイオンの質量電荷比を走査しつつイオンを検出する。
【００２７】  図４に、液体クロマトグラフ質量分析装置のイオン源であるESIスプレイヤー２１１の構成を示す。ESIスプレイヤー２１１は、液体クロマトグラフ１００のカラム１１３から送出された送出液を帯電液滴としてイオン化室２１０内に噴霧するために用いられる。ESIスプレイヤー２１１の配管は入口側配管１１とESIキャピラリ（出口側配管）１２に二分されている。入口側配管１１はポリエーテルエーテルケトン樹脂（PEEK）からなる配管であり、ESIキャピラリ１２はヒューズドシリカからなる配管である。これらはいずれも絶縁物である。なお、これらの配管材料は一例であり、他の絶縁物からなるものを用いても良い。
【００２８】  ESIキャピラリ１２は入口側配管１１よりも細径の配管であり、その外周には入口側配管１１と同じ大きさの外径の保護管１３が取り付けられている。この保護管１３もポリエーテルエーテルケトン樹脂（PEEK）からなる配管である。入口側配管１１と、保護管１３が取り付けられたESIキャピラリ１２は、本実施例の配管接続用治具１４により接続される。また、ESIスプレイヤー２１１は、該ESIスプレイヤー２１１を質量分析計２００のハウジングに取り付けられるための第１接続部材１５と該第１接続部材１５に入口側配管１１を固定するための第２接続部材１７とを有している。さらに、ESIキャピラリ１２の外周には、ばね部１６１とシース部１６２からなる保護部材１６が取り付けられており、ばね部１６１の一端は配管接続用治具１４に取り付けられている。ESIスプレイヤー２１１の不使用時（質量分析装置２００に取り付けられていない時）には、シース部１６２がESIキャピラリ１２の先端を覆っており該ESIキャピラリ１２の先端が保護されるようになっている。
【００２９】  図５に示すように、配管接続用治具１４は、両端がテーパ状（フェルール状）に形成された筒状体であり、該筒状体の軸方向に平行な中心軸Xを有し、入口側配管１１及び保護管１３の外径に対応する内径を有する貫通孔（入口側配管挿入孔１４a、出口側配管挿入孔１４b）が形成されている。また、筒状体内部の、入口側配管挿入孔１４aと出口側配管挿入孔１４bの境界部には、内部の周壁から内側に突出する、長さLの隙間形成用突出部１４cがリング状に設けられている。本実施例の配管接続用治具１４、及び保護部材１６（ばね部１６１とシース部１６２）はステンレス鋼（SUS）からなるが、その他の導電性材料からなるものとしても良い。
【００３０】  本実施例の配管接続用治具１４を使用する際には、入口側配管挿入孔１４aに入口側配管１１を挿入し、その端面を隙間形成用突出部１４cに当接させる。また、出口側配管挿入孔１４bに、保護管１３を取り付けたESIキャピラリ１２を挿入し、その端面をその先端を隙間形成用突出部１４cに当接させる。そして、カップリングとフェルールを用いて配管接続用治具１４の両端部を入口側配管１１と保護管１３にそれぞれ押し付け、該両端部を塑性変形させる。これにより、隙間形成用突出部１４cの長さLで定まる接続ギャップを介して入口側配管１１とESIキャピラリ１２が接続される。
【００３１】  本実施例の配管接続用治具１４は、隙間形成用突出部１４cがリング状に形成されており、入口側配管１１や、ESIキャピラリ１２（及び保護管１３）を入口側配管挿入孔１４aと出口側配管挿入孔１４bにそれぞれ挿入する際に、それらの先端が周状に接触するため、隙間形成用突出部１４cとの間に局所的に力が加わって隙間形成用突出部１４cが変形し、接続ギャップの長さや配管の内径が変化する可能性が低減されている。本実施例ではSUSからなる配管接続用治具１４を用いたため、カップリングとフェルールを用いて両端部をつぶすようにしたが、SUSよりも軟らかい材質からなるものを用いれば、使用者が手で両端部を両配管に押し当てることもできる。
【００３２】  上記のようにして入口側配管１１とESIキャピラリ１２の流路を接続したESIスプレイヤー２１１は、次に質量分析装置２００のハウジングに取り付けられる。図６に、質量分析計２００の、ESIスプレイヤー２１１の取り付け部の構成を示す。
【００３３】  質量分析装置２００のハウジングには、ESIスプレイヤー２１１の先端側から順に、先端部材２１、ESIキャピラリ収容部材２２、ESIスプレイヤー本体部収容部材２３、ESIスプレイヤー取り付け部材２４が配置されている。
【００３４】  先端部材２１は、先端がコーン状に形成されその頂部に開口が形成された部材であり、ESIキャピラリ１２の先端との間にわずかな隙間が形成されている。この隙間から後述するネブライザガスが送給され、帯電液滴が噴霧される。ESIキャピラリ収容部材２２の内壁面にはシース部接触面２２aが形成されており、ESIスプレイヤー２１１を差し込んでいくと、このシース部接触面２２aにシース部１６２の先端が当接し、さらにESIスプレイヤー２１１を差し込んでいくとシース部１６２からESIキャピラリ１２が露出するようになっている。ESIスプレイヤー２１１を所定の位置まで差し込んだ後、最後にESIスプレイヤー２１１をESIスプレイヤー取り付け部材２４にボルト３１で固定する。
【００３５】  ESIキャピラリ収容部材２２は導電性の材料からなり、ESIスプレイヤー２１１を差し込んだ状態で、電圧印加部４０からESIキャピラリ収容部材２２に高電圧（ESI電圧）を印加すると、シース部１６２、ばね部１６１を通じて配管接続用治具１４に高電圧が印加される。多くの場合、イオン導入開口が形成されている、イオン化室２１０と中間真空室２２０の隔壁は接地されており、この接地部に対して所定の電位となるESI電圧が印加される。このESI電圧により、隙間形成用突出部１４cの内部の接続ギャップを通過する液体が帯電される。
【００３６】  ESIスプレイヤー取り付け部材２４にはネブライザガス流路２４aが形成されている。このネブライザガス流路２４aを通じて、ネブライザガス供給部５０から窒素ガス等のネブライザガスがハウジング内に供給される。ハウジング内に供給されたネブライザガスはESIスプレイヤー２１１の外周部の空間を通ってESIスプレイヤー２１１の先端部に到達して先端部材２１の開口から噴出する。このネブライザガスはESIキャピラリ１２から送出される帯電した液体試料に吹き付けられ、帯電液滴がイオン化室２１０内に噴霧される。噴霧された帯電液滴はイオン化室２１０内で脱溶媒してイオン化し、加熱キャピラリ２１２を通過して中間真空室２２０、分析室２３０へと順に進入し、分析に供される。
【００３７】  以上、説明したように、本実施例の配管接続用治具１４を用いると、それ以外の治具等を介在させることなく入口側配管１１とESIキャピラリ１２を接続することができる。また、入口側配管１１の端面とESIキャピラリ１２の端面の位置が隙間形成用突出部１４cにより規定されるため、それらの間に形成される隙間（接続ギャップ）の長さLが一定になる。従って、ESIキャピラリ収容部材２２に高電圧を印加し、シース部１６２とばね部１６１を通じて配管接続用治具１４に高電圧を印加したときに、その隙間（接続ギャップ）を通過する液体試料を安定した効率で帯電させることができる。
【００３８】  本実施例では隙間形成用突出部１４cがリング状に形成されており、配管接続用治具１４の内部に入口側配管１１と（保護管１３を取り付けた）ESIキャピラリ１２を配管を差し込んだときに、その端面全体がリング状の隙間形成用突出部１４cに当接する。そのため、隙間形成用突出部１４cに局所的に力が加わり該隙間形成用突出部１４cが変形して入口側配管１１の端面やESIキャピラリ１２の端面が損傷したり、それらの間の接続ギャップの長さが変化する可能性が低減される。
【００３９】  本実施例の配管接続用治具１４は、両端に向かって先細りの形状を有する。つまり両端部がフェルール状であるため、円筒状等の配管接続用治具を用いる場合よりも小さな力で配管接続用治具１４の両端部を塑性変形させることができる。そのため、配管接続用治具１４の両端部を塑性変形させる際に入口側配管１１やESIキャピラリ１２を破損してしまったり、隙間形成用突出部１４cの内部空間を押しつぶしてその内径を小さくしてしまったりする可能性も低減される。
【００４０】  本実施例の配管接続用治具１４は、入口側配管１１よりも細径のESIキャピラリ１２に取り付けられる保護管１３を有している。この保護管１３として、内径が異なる複数種類のものを予め用意しておけば、出口側配管の外径に応じた適宜の内径を有する保護管１３を使用して、１つの配管接続用治具１４を外径が異なる配管の接続に用いることができる。また、こうした保護管１３を用いることにより、上記実施例のESIキャピラリ１２のような極細径の壊れやすい配管を保護することもできる。
【００４１】  本実施例では、入口側配管挿入孔１４aと出口側配管挿入孔１４bの内径を同じ大きさとしたが、これらは異なっていても良い。また、入口側配管挿入孔１４aと出口側配管挿入孔１４bの少なくとも一方の内径が相互に異なる、複数の配管接続用治具を予め用意しておき、接続しようとする入口側配管と出口側配管の外径に応じた配管接続用治具を用いるようにしてもよい。また、入口側配管挿入孔１４aと出口側配管挿入孔１４bの内径が同一であって、隙間形成用突出部１４cの長さが相互に異なる複数の配管接続用治具を予め用意しておき、液体試料の帯電しやすさや該試料に含まれる成分のイオン化効率に応じて適宜の長さの接続ギャップで液体試料を帯電させるようにしてもよい。
【００４２】  上記実施例は一例であって、本発明の趣旨に沿って適宜に変更することができる。上記実施例ではESIスプレイヤー２１１の入口側配管１１とESIキャピラリ１２を接続する場合を説明したが、この配管接続用治具１４を用いてESIスプレイヤー２１１の入口側配管１１と液体クロマトグラフ１００のカラム１１３の出口側配管を接続することもできる。また、上記実施例では液体クロマトグラフ質量分析装置の質量分析計が備えるESIスプレイヤー２１１を説明したが、様々なイオン分析装置（イオン移動度分析計や分級装置など）のイオン化装置として、上記実施例と同様のESIスプレイヤーを用いることができる。
【符号の説明】
【００４３】１１…入口側配管１２…ESIキャピラリ（出口側配管）１３…保護管１４…配管接続用治具  １４a…入口側配管挿入孔  １４b…出口側配管挿入孔  １４c…隙間形成用突出部１５…第１接続部材１６…保護部材  １６１…ばね部  １６２…シース部１７…第２接続部材２１…先端部材２２…ESIキャピラリ収容部材２３…ESIスプレイヤー本体部収容部材２４…ESIスプレイヤー取り付け部材３１…ボルト４０…電圧印加部５０…ネブライザガス供給部１００…液体クロマトグラフ２００…質量分析計  ２１０…イオン化室  ２１１…ESIスプレイヤー
【図１】
2019053849.tif 000003
【図２】
2019053849.tif 000004
【図３】
2019053849.tif 000005
【図４】
2019053849.tif 000006
【図５】
2019053849.tif 000007
【図６】
2019053849.tif 000008
【国際調査報告】
2019053849.tif 000009
2019053849.tif 000010
2019053849.tif 000011
2019053849.tif 000012